(57)【要約】【課題】製造コストを低減できるカードユニットを実現する。【解決手段】基板の前面縁側に設けられ前記基板を基板ケースから抜き差しするカードプラーと、前記前面縁に取付けられたフロントパネルあるいはコネクタとを具備するカードユニットにおいて、前記前面縁の両端にそれぞれ前記基板の前記抜き差し方向に沿って前記基板に設けられた補強板と、この補強板の前面縁側にそれぞれ設けられたカードプラーとを具備したことを特徴とするカードユニットである。【選択図】図１
2010147296.tif 000002
【特許請求の範囲】
【請求項１】
基板の前面縁側に設けられ前記基板を基板ケースから抜き差しするカードプラーと、前記前面縁に取付けられたフロントパネルあるいはコネクタとを具備するカードユニットにおいて、
前記前面縁の両端にそれぞれ前記基板の前記抜き差し方向に沿って前記基板に設けられた補強板と、
この補強板の前面縁側にそれぞれ設けられたカードプラーと
を具備したことを特徴とするカードユニット。
【請求項２】
前記基板の前面縁より突出して設けられた突出部を有する補強板と、
この突出部に取り付けられたカードプラーと
を具備したことを特徴とする請求項１記載のカードユニット。
【発明の詳細な説明】
【技術分野】
【０００１】
本発明は、基板ケースにカードプラーにより抜き差しされるカードユニットに関するものである。
【背景技術】
【０００２】
カードユニットに関連する先行技術文献としては次のようなものがある。
【０００３】
【特許文献１】実開平０５−０１５４８１号公報
【特許文献２】実開平０５−０６２０８２号公報
【特許文献３】実開平０６−０２９６７８号公報
【非特許文献１】摂津金属工業株式会社ホームページ/製品情報/製品一覧/サブラック アクセサリー/カードインサータエクストラクタ/ＣＬＭＲＫ、[平成２０年１２月９日検索]インターネット＜ＵＲＬ：http://www.settsu.co.jp/japanese/pdf/s_13_clmrk_3.pdf＞
【非特許文献２】ＰＩＣＭＧ  ＪＡＰＡＮホームページ/技術情報/ＰＩＣＭＧ  ２.x  ＣｏｍｐａｃｔＰＣＩについて/ＰＩＣＭＧ２．０  Ｒ２．１  ＣｏｍｐａｃｔPCI  Ｓｐｅｃｉｆｉｃａｔｉｏｎ  - 日本語縮約版(in pdf)、［平成２０年１２月９日検索]インターネット＜ＵＲＬ：http://www.picmg-japan.com/doc/picmg20SF.pdf＞
【０００４】
図４は従来より一般に使用されている従来例の要部構成説明図、図５は図４の要部詳細説明図である。
図４は一般的なカードユニットの構造を示したものであり、基板１と基板１の前面縁１ａの両端角に設置されたカードプラー２により構成される。
カードプラー２の回転軸２ａを中心に、カードプラー２を回転させることで、梃子の原理で回転軸２ａに挿抜力を発生し、基板１の挿抜を行う。
【０００５】
図６は従来より一般に使用されている他の従来例の要部構成説明図、図７は図６の要部詳細説明図である。
図６は、フロントパネルを有したカードユニットの構造図であり、基板１１と、基板１１の前面縁1１ａに設置されたフロントパネル１２と、フロントパネル１２の両端に、基板１１とフロントパネル１２を接続する形で配置されるカードプラー１３より構成される。
【０００６】
カードプラー１３を、カードプラー１３の回転軸１３ａを中心に回転させることで発生する挿抜力を、基板１１との接続点１３ｂにより基板１１に伝えることで、基板１１の挿抜を行う。
【発明の開示】
【発明が解決しようとする課題】
【０００７】
このような装置においては、以下の問題点がある。
図４のカードプラー２は、プラー回転中心と、基板１に力を伝える点が同一であり、もっとも簡略な構造をとることができるが、基板端にカードプラー２のレバーの操作エリアを確保する必要があり、フロントパネルの設置が困難である。
【０００８】
図６のカードプラー１３は、フロントパネル１２の設置を前提として設計されており、フロントパネル１２の設置は容易だが、プラー回転軸１３ａと基板との接点１３ｂの位置が異なり、接点１３ｂを中心にカードプラー１３自体が回転してしまうため、フロントパネル１２に固定させて、回転を抑制する必要がある。
【０００９】
このため、フロントパネル１２に一定の強度を必要とする。また、カードプラー１３自体が構造的に、図４従来例のカードプラー２にくらべ複雑であり、コストアップの原因となっている。
【００１０】
本発明の目的は、上記の課題を解決するもので、フロントパネル設置を必要とするカードユニットにおいて、簡単な構造のカードプラーが使用でき、製造コストを低減できるカードユニットを提供することにある。
【課題を解決するための手段】
【００１１】
このような課題を達成するために、本発明では、請求項１のカードユニットにおいては、
基板の前面縁側に設けられ前記基板を基板ケースから抜き差しするカードプラーと、前記前面縁に取付けられたフロントパネルあるいはコネクタとを具備するカードユニットにおいて、前記前面縁の両端にそれぞれ前記基板の前記抜き差し方向に沿って前記基板に設けられた補強板と、この補強板の前面縁側にそれぞれ設けられたカードプラーとを具備したことを特徴とする。
【００１２】
本発明の請求項２のカードユニットにおいては、請求項１記載のカードユニットにおいて、
前記基板の前面縁より突出して設けられた突出部を有する補強板と、この突出部に取り付けられたカードプラーとを具備したことを特徴とする。
【発明の効果】
【００１３】
本発明の請求項１によれば、次のような効果がある。
補強板を介して、カードプラーを設置することで、基板の前面縁から外れたれた位置に、カードプラーの操作エリアを確保でき、基板の前面縁の両端近傍まで、フロントパネルの設置が可能となるカードユニットが得られる。
【００１４】
カードプラーと、フロントパネルの接点が必要無いので、フロントパネルに要求される強度を低く抑えることができるカードユニットが得られる。
基板に直接カードプラーを接続せず、補強板を介することで、カードプラー選定条件から基板の板厚を除外することができるため、板厚の種々な基板に対して、カードプラーの種類の統一を行うことができ、カードプラーの種類の低減を行うことができ、部品コストの低減、在庫管理工数の低減が図れるカードユニットが得られる。
【００１５】
本発明の請求項２によれば、次のような効果がある。
基板の前面縁より突出して設けられた突出部を有する補強板と、この突出部に取り付けられたカードプラーとが設けられたので、カードプラーの操作レバーの操作容易性が向上されたカードユニットが得られる。
【発明を実施するための最良の形態】
【００１６】
以下本発明を図面を用いて詳細に説明する。
図１は本発明の一実施例の要部構成説明図、図２は図１の要部詳細説明図である。
図において、図６と同一記号の構成は同一機能を表す。
以下、図６との相違部分のみ説明する。
【００１７】
図１において、補強板２１は、基板２２の前面縁２２１の両端に、それぞれ、基板２２の抜き差し方向に沿って、基板２２に設けられている。
カードプラー２は、補強板２１の前面縁２２１の側にそれぞれ設けられている。
フロントパネル２３は補強板２１との接続点を持たず、接続点２３１にて独立に基板２２に接続される。
【００１８】
この場合は、補強板２１は、基板２２の前面縁２２１より突出して設けられた突出部２１１を有する。
カードプラー２は、カードプラー２の操作レバー２ｂが、フロントパネル２３との間の隙間に指が容易に入れられて、操作容易になるように、この突出部２１１に取り付けられている。
【００１９】
したがって、フロントパネル２３は、突出部２１１の配置位置において、補強板２１を隠せるように、前方に飛び出した屈曲部２３２を有する。
なお、カードプラー２の操作性を重視しなければ、補強板２１は、突出部２１１を設けなくても良く、したがって、フロントパネル２３の屈曲部２３１も設けられなくても良い。
【００２０】
以上の構成において、カードプラー２を、回転軸２ａを中心に回転させることで生じる挿抜力は、直接に補強板２１に伝わり、基板２２の挿抜を行う。
【００２１】
この結果、補強板２１を介して、カードプラー２を設置することで、基板２２の前面縁２２１から外れたれた位置に、カードプラー２の操作エリアを確保でき、基板２２の前面縁２２１の両端近傍まで、フロントパネル２３の設置が可能となるカードユニットが得られる。
【００２２】
カードプラー２と、フロントパネルの接続点１３ｂが必要無いので、フロントパネル２３に要求される強度を低く抑えることができるカードユニットが得られる。
基板２２に直接カードプラー２を接続せず、補強板２１を介することで、カードプラーの選定条件から、基板の板厚を除外することができるため、板厚の種々な基板に対して、カードプラーの種類の統一を行うことができ、カードプラーの種類の低減を行うことができ、部品コストの低減、在庫管理工数の低減が図れるカードユニットが得られる。
【００２３】
図３は、本発明の他の実施例の要部構成説明図である。
本実施例においては、補強板３１は、基板３２の前面縁３２１の両端に、それぞれ、基板３２の抜き差し方向に沿って、基板３２に設けられている。
カードプラー２は、補強板３１の前面縁３２１の側にそれぞれ設けられている。
複数のコネクタ３３は、前面縁３２１に沿って設けられている。
【００２４】
この結果、カードプラー２の間隔を広げるように設置することで、基板３２上のコネクタ設置エリアを拡大することができる。
【００２５】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００２６】
【図１】本発明の一実施例の要部構成説明図である。
【図２】図１の要部詳細説明図である。
【図３】本発明の他の実施例の要部構成説明図である。
【図４】従来より一般に使用されている従来例の要部構成説明図である。
【図５】図４の要部詳細説明図である。
【図６】従来より一般に使用されている他の従来例の要部構成説明図である。
【図７】図６の要部詳細説明図である。
【符号の説明】
【００２７】
１      基板
１ａ    前面縁
２      カードプラー
２ａ    回転軸
２ｂ    操作レバー
１１    基板
１１ａ  前面縁
１２    フロントパネル
１３    カードプラー
１３ａ  回転軸
１３ｂ  接続点
２１    補強板
２１１  突出部
２２    基板
２２１  前面縁
２３    フロントパネル
２３１  接続点
２３２  屈曲部
３１    補強板
３２    基板
３２１  前面縁
３３    コネクタ
【図１】
2010147296.tif 000003
【図２】
2010147296.tif 000004
【図３】
2010147296.tif 000005
【図４】
2010147296.tif 000006
【図５】
2010147296.tif 000007
【図６】
2010147296.tif 000008
【図７】
2010147296.tif 000009